(57)【要約】【課題】払込票に基づく料金が収納されてからマッチング作業までの時間を短縮するとともに、マッチング作業にかかる業務負担を軽減させることができる、収納管理システム、収納管理装置、収納管理方法、および、プログラムを提供することを課題とする。【解決手段】金融機関システムから送信される、識別情報が記載された払込済の払込票に基づいて生成された入金明細データを受信して記憶部に格納し、端末装置から送信される、画像読取部を介して取得された識別情報が記載された払込済の払込票の払込金受領証を含む画像の画像データを受信し、受信した画像データに基づいて、払込金受領証に記載された識別情報を含む情報を、入金確定予定データとして取得し、識別情報に基づいて、取得した入金確定予定データと、受信した入金明細データと、を対応付けるマッチング処理を行う。【選択図】図１
2014056559.tif 000002
【特許請求の範囲】
【請求項１】
画像読取部と制御部を少なくとも備えた端末装置、記憶部と制御部を少なくとも備えたサーバ装置、および、制御部を少なくとも備えた金融機関システムを、ネットワークを介して通信可能に接続した収納管理システムであって、
前記金融機関システムの前記制御部は、
識別情報が記載された払込済の払込票に基づいて、入金明細データを生成する入金明細データ生成手段と、
前記入金明細データ生成手段により生成された前記入金明細データを、前記サーバ装置に送信する入金明細データ送信手段と、
を備え、
前記端末装置の前記制御部は、
前記画像読取部を介して、前記識別情報が記載された払込済の前記払込票の払込金受領証を含む画像の画像データを取得する受領証画像取得手段と、
前記受領証画像取得手段により取得された前記画像データを、前記サーバ装置に送信する受領証画像送信手段と、
を備え、
前記サーバ装置の前記制御部は、
前記入金明細データを前記金融機関システムから受信して前記記憶部に格納する入金明細データ受信手段と、
前記端末装置から送信される、前記画像データを受信する受領証画像受信手段と、
前記受領証画像受信手段により受信された前記画像データに基づいて、前記払込金受領証に記載された前記識別情報を含む情報を、入金確定予定データとして取得する入金確定予定データ取得手段と、
前記識別情報に基づいて、前記入金確定予定データ取得手段により取得された前記入金確定予定データと、前記入金明細データ受信手段により受信された前記入金明細データと、を対応付けるマッチング処理を行うマッチング処理手段と、
を備えたことを特徴とする収納管理システム。
【請求項２】
請求項１に記載の収納管理システムにおいて、
前記マッチング処理手段は、
前記マッチング処理結果に関する情報を少なくとも前記識別情報に対応付けて前記記憶部に格納し、
前記サーバ装置の前記制御部は、
前記識別情報を含む前記マッチング処理結果の取得要求を受信した場合に、当該識別情報に対応する前記マッチング処理結果に関する情報を前記記憶部から取得して当該取得要求の送信元に送信する取得要求受付手段、
を更に備えたことを特徴とする収納管理システム。
【請求項３】
請求項１または２に記載の収納管理システムにおいて、
払込前の前記払込票は、予め所定の箇所に前記識別情報の記入欄が印刷されており、
前記入金明細データ生成手段および／または前記入金確定予定データ取得手段は、
光学式文字認識技術により、前記所定の箇所に記載された前記識別情報を読取ることを特徴とする収納管理システム。
【請求項４】
請求項１乃至３のいずれか一つに記載の収納管理システムにおいて、
払込前の前記払込票は、郵便局を含む複数の金融機関にて払込が利用可能な態様にて印刷されていることを特徴とする収納管理システム。
【請求項５】
請求項１乃至４のいずれか一つに記載の収納管理システムにおいて、
記憶部と制御部を少なくとも備えた外部機器を、更にネットワークを介して通信可能に接続し、
前記端末装置の前記制御部は、
前記外部機器に、少なくとも住所、氏名、および年齢のうち少なくとも一つを含む登録用の個人基本情報を送信する送信手段と、
前記個人基本情報に基づいて前記外部機器から送信される、識別情報を受信する受信手段と、
を更に備え、
前記外部機器の前記制御部は、
前記端末装置から送信される、前記個人基本情報を受信する受信手段と、
前記個人基本情報に対応付けてユニークな番号を識別情報として付与して前記記憶部に格納して登録する情報登録手段と、
前記端末装置に前記識別情報を送信し、前記識別情報と前記登録情報を対応付けて前記サーバ装置に送信する送信手段と、
を更に備え、
前記サーバ装置の前記制御部は、
前記外部機器から送信される、前記個人基本情報と前記識別情報を受信する個人基本情報受信手段、
を更に備え、
前記マッチング処理手段は、
前記識別情報に基づいて、前記個人基本情報受信手段により受信された前記識別情報を含む個人基本情報と、前記入金明細データ受信手段により受信された前記入金明細データと、を対応付けるマッチング処理を行うこと特徴とする収納管理システム。
【請求項６】
画像読取部を少なくとも備えた端末装置、および、金融機関システムに、ネットワークを介して通信可能に接続された、記憶部と制御部を少なくとも備えた収納管理装置であって、
前記制御部は、
前記金融機関システムから送信される、識別情報が記載された払込済の払込票に基づいて生成された入金明細データを受信して前記記憶部に格納する入金明細データ受信手段と、
前記端末装置から送信される、前記画像読取部を介して取得された前記識別情報が記載された払込済の前記払込票の払込金受領証を含む画像の画像データを受信する受領証画像受信手段と、
前記受領証画像受信手段により受信された前記画像データに基づいて、前記払込金受領証に記載された前記識別情報を含む情報を、入金確定予定データとして取得する入金確定予定データ取得手段と、
前記識別情報に基づいて、前記入金確定予定データ取得手段により取得された前記入金確定予定データと、前記入金明細データ受信手段により受信された前記入金明細データと、を対応付けるマッチング処理を行うマッチング処理手段と、
を備えたことを特徴とする収納管理装置。
【請求項７】
請求項６に記載の収納管理装置において、
前記マッチング処理手段は、
前記マッチング処理結果に関する情報を少なくとも前記識別情報に対応付けて前記記憶部に格納し、
前記制御部は、
前記識別情報を含む前記マッチング処理結果の取得要求を受信した場合に、当該識別情報に対応する前記マッチング処理結果に関する情報を前記記憶部から取得して当該取得要求の送信元に送信する取得要求受付手段、
を更に備えたことを特徴とする収納管理装置。
【請求項８】
請求項６または７に記載の収納管理装置において、
払込前の前記払込票は、予め所定の箇所に前記識別情報の記入欄が印刷されており、
前記入金確定予定データ取得手段は、
光学式文字認識技術により、前記所定の箇所に記載された前記識別情報を読取ることを特徴とする収納管理装置。
【請求項９】
請求項６乃至８のいずれか一つに記載の収納管理装置において、
払込前の前記払込票は、郵便局を含む複数の金融機関にて払込が利用可能な態様にて印刷されていることを特徴とする収納管理装置。
【請求項１０】
画像読取部を少なくとも備えた端末装置、および、金融機関システムに、ネットワークを介して通信可能に接続された、記憶部と制御部を少なくとも備えたコンピュータに実行させる収納管理方法であって、
前記制御部において実行される、
前記金融機関システムから送信される、識別情報が記載された払込済の払込票に基づいて生成された入金明細データを受信して前記記憶部に格納する入金明細データ受信ステップと、
前記端末装置から送信される、前記画像読取部を介して取得された前記識別情報が記載された払込済の前記払込票の払込金受領証を含む画像の画像データを受信する受領証画像受信ステップと、
前記受領証画像受信ステップにて受信された前記画像データに基づいて、前記払込金受領証に記載された前記識別情報を含む情報を、入金確定予定データとして取得する入金確定予定データ取得ステップと、
前記識別情報に基づいて、前記入金確定予定データ取得ステップにて取得された前記入金確定予定データと、前記入金明細データ受信ステップにて受信された前記入金明細データと、を対応付けるマッチング処理を行うマッチング処理ステップと、
を含むことを特徴とする収納管理方法。
【請求項１１】
請求項１０に記載の収納管理方法において、
前記マッチング処理ステップは、
前記マッチング処理結果に関する情報を少なくとも前記識別情報に対応付けて前記記憶部に格納し、
前記制御部において、
前記識別情報を含む前記マッチング処理結果の取得要求を受信した場合に、当該識別情報に対応する前記マッチング処理結果に関する情報を前記記憶部から取得して当該取得要求の送信元に送信する取得要求受付ステップ、
を更に含むことを特徴とする収納管理方法。
【請求項１２】
請求項１０または１１に記載の収納管理方法において、
払込前の前記払込票は、予め所定の箇所に前記識別情報の記入欄が印刷されており、
前記入金確定予定データ取得ステップは、
光学式文字認識技術により、前記所定の箇所に記載された前記識別情報を読取ることを特徴とする収納管理方法。
【請求項１３】
請求項１０乃至１２のいずれか一つに記載の収納管理方法において、
払込前の前記払込票は、郵便局を含む複数の金融機関にて払込が利用可能な態様にて印刷されていることを特徴とする収納管理方法。
【請求項１４】
画像読取部を少なくとも備えた端末装置、および、金融機関システムに、ネットワークを介して通信可能に接続された、記憶部と制御部を少なくとも備えたコンピュータに実行させるためのプログラムであって、
前記制御部において、
前記金融機関システムから送信される、識別情報が記載された払込済の払込票に基づいて生成された入金明細データを受信して前記記憶部に格納する入金明細データ受信ステップと、
前記端末装置から送信される、前記画像読取部を介して取得された前記識別情報が記載された払込済の前記払込票の払込金受領証を含む画像の画像データを受信する受領証画像受信ステップと、
前記受領証画像受信ステップにて受信された前記画像データに基づいて、前記払込金受領証に記載された前記識別情報を含む情報を、入金確定予定データとして取得する入金確定予定データ取得ステップと、
前記識別情報に基づいて、前記入金確定予定データ取得ステップにて取得された前記入金確定予定データと、前記入金明細データ受信ステップにて受信された前記入金明細データと、を対応付けるマッチング処理を行うマッチング処理ステップと、
を実行させるためのプログラム。
【請求項１５】
請求項１４に記載のプログラムにおいて、
前記マッチング処理ステップは、
前記マッチング処理結果に関する情報を少なくとも前記識別情報に対応付けて前記記憶部に格納し、
前記制御部において、
前記識別情報を含む前記マッチング処理結果の取得要求を受信した場合に、当該識別情報に対応する前記マッチング処理結果に関する情報を前記記憶部から取得して当該取得要求の送信元に送信する取得要求受付ステップ、
を更に実行させるためのプログラム。
【請求項１６】
請求項１４または１５に記載のプログラムにおいて、
払込前の前記払込票は、予め所定の箇所に前記識別情報の記入欄が印刷されており、
前記入金確定予定データ取得ステップは、
光学式文字認識技術により、前記所定の箇所に記載された前記識別情報を読取ることを特徴とするプログラム。
【請求項１７】
請求項１４乃至１６のいずれか一つに記載のプログラムにおいて、
払込前の前記払込票は、郵便局を含む複数の金融機関にて払込が利用可能な態様にて印刷されていることを特徴とするプログラム。
【発明の詳細な説明】
【技術分野】
【０００１】
本発明は、収納管理システム、収納管理装置、収納管理方法、および、プログラムに関するものである。
【背景技術】
【０００２】
従来、払込票等の用紙からコード情報等を読み取り、電子決済等の電子手続に利用する技術が開発されている。
【０００３】
例えば、特許文献１では、端末装置が、コンビニ払いの請求書に印刷されているバーコードからバーコード情報を読取ることで、企業が送付した請求書には対応していない支払方法により支払者が代金を支払うことを可能にすることが開示されている。
【０００４】
また、特許文献２では、利用者端末から、払込票に印字された流通コードを撮影した画像を用いて、流通コードに含まれる収納企業識別子、請求金額を含むデータを取得することによって、対応していない支払方法を支払者が選択できるマルチペイメントを実現することが開示されている。
【０００５】
また、特許文献３では、用紙の濃淡画像等を表す用紙データに対応付けて、用紙毎に固有の識別子である用紙ＩＤを付与したチケット印刷用紙を配布し、チケット購入者は、代金決済が完了すると、印字前のチケット印刷用紙からカメラ等で読取った用紙データを管理装置に送信することで、印刷データに対応する印字内容データを受信して印刷用紙に印刷することによって、偽造を防止することが開示されている。
【先行技術文献】
【特許文献】
【０００６】
【特許文献１】特開２０１０−０３９６１９号公報
【特許文献２】特許第４３０４１６２号公報
【特許文献３】特許第４５９０８８５号公報
【発明の概要】
【発明が解決しようとする課題】
【０００７】
しかしながら、従来の技術では、金融機関が払込者から払込票に基づく料金を収納後、払込金収納通知を収納企業に送付して収納機関が払込金通知を受領するまでに数日を要するという問題点を有していた。より具体的には、郵便局等の金融機関から取り纏め部門への収納通知書の送付、および、取り纏め部門における作業ののちに収納企業への対応機関として、数営業日を要している。
【０００８】
さらに、収納企業が、金融機関から受け取った収納通知書と、収納口座への入金明細とのマッチングにより個別請求の入金消込を実施するための、突合せ作業が煩雑であるという問題点を有していた。より具体的には、収納企業は、受け取る明細が入金の順番ではなく、同じ金額で大量に収納口座に入金されて払込者の特定が困難となり、また、各局から取り纏め部門への送付順や、取り纏め部門での収納企業ごとへの取り纏め順等とも一致しないので、入金順の処理ができず、マッチングのための業務負担が大きい。
【０００９】
このような種々の問題点を解消するために、上述した特許文献１，２に記載のマルチペイメントシステムや、特許文献３に記載の偽造防止技術等の従来の技術を、応用することはできないという問題点を有していた。
【００１０】
本発明は、上記に鑑みてなされたものであって、払込票に基づく料金が収納されてからマッチング作業までの時間を短縮するとともに、マッチング作業にかかる業務負担を軽減させることができる、収納管理システム、収納管理装置、収納管理方法、および、プログラムを提供することを目的とする。
【課題を解決するための手段】
【００１１】
上述した課題を解決し、目的を達成するために、本発明の収納管理システムは、画像読取部と制御部を少なくとも備えた端末装置、記憶部と制御部を少なくとも備えたサーバ装置、および、制御部を少なくとも備えた金融機関システムを、ネットワークを介して通信可能に接続した収納管理システムであって、前記金融機関システムの前記制御部は、識別情報が記載された払込済の払込票に基づいて、入金明細データを生成する入金明細データ生成手段と、前記入金明細データ生成手段により生成された前記入金明細データを、前記サーバ装置に送信する入金明細データ送信手段と、を備え、前記端末装置の前記制御部は、前記画像読取部を介して、前記識別情報が記載された払込済の前記払込票の払込金受領証を含む画像の画像データを取得する受領証画像取得手段と、前記受領証画像取得手段により取得された前記画像データを、前記サーバ装置に送信する受領証画像送信手段と、を備え、前記サーバ装置の前記制御部は、前記入金明細データを前記金融機関システムから受信して前記記憶部に格納する入金明細データ受信手段と、前記端末装置から送信される、前記画像データを受信する受領証画像受信手段と、前記受領証画像受信手段により受信された前記画像データに基づいて、前記払込金受領証に記載された前記識別情報を含む情報を、入金確定予定データとして取得する入金確定予定データ取得手段と、前記識別情報に基づいて、前記入金確定予定データ取得手段により取得された前記入金確定予定データと、前記入金明細データ受信手段により受信された前記入金明細データと、を対応付けるマッチング処理を行うマッチング処理手段と、を備えたことを特徴とする。
【００１２】
また、本発明の収納管理システムは、上記記載の収納管理システムにおいて、前記マッチング処理手段は、前記マッチング処理結果に関する情報を少なくとも前記識別情報に対応付けて前記記憶部に格納し、前記サーバ装置の前記制御部は、前記識別情報を含む前記マッチング処理結果の取得要求を受信した場合に、当該識別情報に対応する前記マッチング処理結果に関する情報を前記記憶部から取得して当該取得要求の送信元に送信する取得要求受付手段、を更に備えたことを特徴とする。
【００１３】
また、本発明の収納管理システムは、上記記載の収納管理システムにおいて、払込前の前記払込票は、予め所定の箇所に前記識別情報の記入欄が印刷されており、前記入金明細データ生成手段および／または前記入金確定予定データ取得手段は、光学式文字認識技術により、前記所定の箇所に記載された前記識別情報を読取ることを特徴とする。
【００１４】
また、本発明の収納管理システムは、上記記載の収納管理システムにおいて、払込前の前記払込票は、郵便局を含む複数の金融機関にて払込が利用可能な態様にて印刷されていることを特徴とする。
【００１５】
また、本発明の収納管理システムは、上記記載の収納管理システムにおいて、記憶部と制御部を少なくとも備えた外部機器を、更にネットワークを介して通信可能に接続し、前記端末装置の前記制御部は、前記外部機器に、少なくとも住所、氏名、および年齢のうち少なくとも一つを含む登録用の個人基本情報を送信する送信手段と、前記個人基本情報に基づいて前記外部機器から送信される、識別情報を受信する受信手段と、を更に備え、前記外部機器の前記制御部は、前記端末装置から送信される、前記個人基本情報を受信する受信手段と、前記個人基本情報に対応付けてユニークな番号を前記識別情報として付与して前記記憶部に格納して登録する情報登録手段と、前記端末装置に前記識別情報を送信し、前記識別情報と前記登録情報を対応付けて前記サーバ装置に送信する送信手段と、を更に備え、前記サーバ装置の前記制御部は、前記外部機器から送信される、前記個人基本情報と前記識別情報を受信する個人基本情報受信手段、を更に備え、前記マッチング処理手段は、前記識別情報に基づいて、前記個人基本情報受信手段により受信された前記識別情報を含む個人基本情報と、前記入金明細データ受信手段により受信された前記入金明細データと、を対応付けるマッチング処理を行うこと特徴とする。
【００１６】
また、本発明の収納管理装置は、画像読取部を少なくとも備えた端末装置、および、金融機関システムに、ネットワークを介して通信可能に接続された、記憶部と制御部を少なくとも備えた収納管理装置であって、前記制御部は、前記金融機関システムから送信される、識別情報が記載された払込済の払込票に基づいて生成された入金明細データを受信して前記記憶部に格納する入金明細データ受信手段と、前記端末装置から送信される、前記画像読取部を介して取得された前記識別情報が記載された払込済の前記払込票の払込金受領証を含む画像の画像データを受信する受領証画像受信手段と、前記受領証画像受信手段により受信された前記画像データに基づいて、前記払込金受領証に記載された前記識別情報を含む情報を、入金確定予定データとして取得する入金確定予定データ取得手段と、前記識別情報に基づいて、前記入金確定予定データ取得手段により取得された前記入金確定予定データと、前記入金明細データ受信手段により受信された前記入金明細データと、を対応付けるマッチング処理を行うマッチング処理手段と、を備えたことを特徴とする。
【００１７】
また、本発明の収納管理装置は、上記記載の収納管理装置において、前記マッチング処理手段は、前記マッチング処理結果に関する情報を少なくとも前記識別情報に対応付けて前記記憶部に格納し、前記制御部は、前記識別情報を含む前記マッチング処理結果の取得要求を受信した場合に、当該識別情報に対応する前記マッチング処理結果に関する情報を前記記憶部から取得して当該取得要求の送信元に送信する取得要求受付手段、を更に備えたことを特徴とする。
【００１８】
また、本発明の収納管理装置は、上記記載の収納管理装置において、払込前の前記払込票は、予め所定の箇所に前記識別情報の記入欄が印刷されており、前記入金確定予定データ取得手段は、光学式文字認識技術により、前記所定の箇所に記載された前記識別情報を読取ることを特徴とする。
【００１９】
また、本発明の収納管理装置は、上記記載の収納管理装置において、払込前の前記払込票は、郵便局を含む複数の金融機関にて払込が利用可能な態様にて印刷されていることを特徴とする。
【００２０】
また、本発明の収納管理方法は、画像読取部を少なくとも備えた端末装置、および、金融機関システムに、ネットワークを介して通信可能に接続された、記憶部と制御部を少なくとも備えたコンピュータに実行させる収納管理方法であって、前記制御部において実行される、前記金融機関システムから送信される、識別情報が記載された払込済の払込票に基づいて生成された入金明細データを受信して前記記憶部に格納する入金明細データ受信ステップと、前記端末装置から送信される、前記画像読取部を介して取得された前記識別情報が記載された払込済の前記払込票の払込金受領証を含む画像の画像データを受信する受領証画像受信ステップと、前記受領証画像受信ステップにて受信された前記画像データに基づいて、前記払込金受領証に記載された前記識別情報を含む情報を、入金確定予定データとして取得する入金確定予定データ取得ステップと、前記識別情報に基づいて、前記入金確定予定データ取得ステップにて取得された前記入金確定予定データと、前記入金明細データ受信ステップにて受信された前記入金明細データと、を対応付けるマッチング処理を行うマッチング処理ステップと、を含むことを特徴とする。
【００２１】
また、本発明の収納管理方法は、上記記載の収納管理装置において、前記マッチング処理ステップは、前記マッチング処理結果に関する情報を少なくとも前記識別情報に対応付けて前記記憶部に格納し、前記制御部において、前記識別情報を含む前記マッチング処理結果の取得要求を受信した場合に、当該識別情報に対応する前記マッチング処理結果に関する情報を前記記憶部から取得して当該取得要求の送信元に送信する取得要求受付ステップ、を更に含むことを特徴とする。
【００２２】
また、本発明の収納管理方法は、上記記載の収納管理方法において、払込前の前記払込票は、予め所定の箇所に前記識別情報の記入欄が印刷されており、前記入金確定予定データ取得ステップは、光学式文字認識技術により、前記所定の箇所に記載された前記識別情報を読取ることを特徴とする。
【００２３】
また、本発明の収納管理方法は、上記記載の収納管理方法において、払込前の前記払込票は、郵便局を含む複数の金融機関にて払込が利用可能な態様にて印刷されていることを特徴とする。
【００２４】
また、本発明のプログラムは、画像読取部を少なくとも備えた端末装置、および、金融機関システムに、ネットワークを介して通信可能に接続された、記憶部と制御部を少なくとも備えたコンピュータに実行させるためのプログラムであって、前記制御部において、前記金融機関システムから送信される、識別情報が記載された払込済の払込票に基づいて生成された入金明細データを受信して前記記憶部に格納する入金明細データ受信ステップと、前記端末装置から送信される、前記画像読取部を介して取得された前記識別情報が記載された払込済の前記払込票の払込金受領証を含む画像の画像データを受信する受領証画像受信ステップと、前記受領証画像受信ステップにて受信された前記画像データに基づいて、前記払込金受領証に記載された前記識別情報を含む情報を、入金確定予定データとして取得する入金確定予定データ取得ステップと、前記識別情報に基づいて、前記入金確定予定データ取得ステップにて取得された前記入金確定予定データと、前記入金明細データ受信ステップにて受信された前記入金明細データと、を対応付けるマッチング処理を行うマッチング処理ステップと、を実行させることを特徴とする。
【００２５】
また、本発明のプログラムは、上記記載のプログラムにおいて、前記マッチング処理ステップは、前記マッチング処理結果に関する情報を少なくとも前記識別情報に対応付けて前記記憶部に格納し、前記制御部において、前記識別情報を含む前記マッチング処理結果の取得要求を受信した場合に、当該識別情報に対応する前記マッチング処理結果に関する情報を前記記憶部から取得して当該取得要求の送信元に送信する取得要求受付ステップ、を更に実行させることを特徴とする。
【００２６】
また、本発明のプログラムは、上記記載のプログラムにおいて、払込前の前記払込票は、予め所定の箇所に前記識別情報の記入欄が印刷されており、前記入金確定予定データ取得ステップは、光学式文字認識技術により、前記所定の箇所に記載された前記識別情報を読取ることを特徴とする。
【００２７】
また、本発明のプログラムは、上記記載のプログラムにおいて、払込前の前記払込票は、郵便局を含む複数の金融機関にて払込が利用可能な態様にて印刷されていることを特徴とする。
【発明の効果】
【００２８】
本発明によれば、金融機関システムから送信される、識別情報が記載された払込済の払込票に基づいて生成された入金明細データを受信して記憶部に格納し、端末装置から送信される、画像読取部を介して取得された識別情報が記載された払込済の払込票の払込金受領証を含む画像の画像データを受信し、受信した画像データに基づいて、払込金受領証に記載された識別情報を含む情報を、入金確定予定データとして取得し、識別情報に基づいて、取得した入金確定予定データと、受信した入金明細データと、を対応付けるマッチング処理を行う。これにより、本発明は、払込票に基づく料金が収納されてからマッチング作業までの時間を短縮するとともに、マッチング作業にかかる業務負担を軽減させることができるという効果を奏する。
【００２９】
より具体的には、（１）従来、金融機関が払込者から払込票に基づく料金を収納後、払込金収納通知を収納企業に送付して収納機関が払込金通知を受け取るまでに時間がかかるという問題点を解消することができる。また、（２）従来、受け取る明細が入金の順番ではないため突合せの手間がかかるという問題点を解消することができる。また、（３）従来、金融機関の取り纏め部門で収納通知書のデータ化を行うか、収納企業が収納通知書のデータ化を行うことが必要であったが、この大量の収納通知書のデータ化に作業負担が生じるという問題点を軽減することができる。また、（４）従来、収納通知書の金額との一致を確認して、収納通知書の払込人の入金確定を行うマッチング処理の作業負担が生じるという問題を軽減することができる。
【図面の簡単な説明】
【００３０】
【図１】図１は、本実施形態における収納管理システムの構成の一例を示すブロック図である。
【図２】図２は、本実施形態において用いる払込票の一例を示す図である。
【図３】図３は、金融機関システム６００の構成の一例を示すブロック図である。
【図４】図４は、本実施の形態における本収納管理システムの収納管理処理の一例を示すフローチャートである。
【図５】図５は、本実施形態において用いる払込票の具体例を示す図である。
【図６】図６は、払込金受領証が貼付された申込書類の画像データに送信先情報が含まれる例を示す図である。
【図７】図７は、図５の払込金受領証ＭＡ−３が貼付された申込書類の画像データに基づいて取得された入金確定予定データの一例を示す図である。
【図８】図８は、管理データベース２０６ａのデータ構成の一例を示す図である。
【図９】図９は、本実施の形態における本収納管理システムの識別情報登録処理の一例を示す遷移図である。
【図１０】図１０は、端末装置１００の出力部１１４に表示される、個人ＩＤ番号および検定料・手数料（払込金額）を提示する表示画面の一例を示す図である。
【図１１】図１１は、利用者により任意の払込用紙に記入して作成された払込票の一例を示す図である。
【図１２】図１２は、他の実施の態様としての払込票１の一例を示す図である。
【図１３】図１３は、他の実施の態様としての払込票２の一例を示す図である。
【図１４】図１４は、複数の金融機関にて払込が利用可能に印刷された払込票２の一例を示す図である。
【図１５】図１５は、郵便局のみにて払込が利用可能に印刷された払込票の例を示す図である。
【発明を実施するための形態】
【００３１】
以下に、本発明にかかる収納管理システム、収納管理装置、収納管理方法、および、プログラムの実施形態を図面に基づいて詳細に説明する。なお、この実施形態によりこの発明が限定されるものではない。
【００３２】
特に以下の実施の形態においては、本発明を受験の申し込みに適用した例について説明する場合があるが、この場合に限られず、払込済商品の引渡しや入金の照会など全ての分野において、同様に適用することができる。
【００３３】
［収納管理システム構成］
まず、本実施形態の収納管理システムの構成について図１〜図３を参照して以下に説明する。ここで、図１は、本実施形態における収納管理システムの構成の一例を示すブロック図であり、該構成のうち本発明に関係する部分のみを概念的に示している。
【００３４】
本実施形態の収納管理システムは、概略的に、端末装置１００と、サーバ装置２００（収納管理装置）と、金融機関システム６００と、識別情報等を発行する外部機器７００とを備える。そして、本収納管理システムは、ネットワーク３００を介して相互に通信可能に接続している。
【００３５】
図１において、ネットワーク３００は、端末装置１００とサーバ装置２００と金融機関システム６００と外部機器７００とを相互に接続する機能を有し、例えば、インターネット等である。
【００３６】
図１において、端末装置１００は、概略的に、制御部１０２と通信制御インターフェース部１０４と入出力インターフェース部１０８と記憶部１０６を備える。端末装置１００は、一例として、携帯電話装置やスマートフォンやファクシミリ伝送装置等であってもよい。ここで、制御部１０２は、端末装置１００の全体を統括的に制御するＣＰＵ等である。また、通信制御インターフェース部１０４は、通信回線等に接続されるルータ等の通信装置（図示せず）に接続されるインターフェースであり、入出力制御インターフェース部１０８は、画像読取部１１２や出力部１１４や入力部１１６に接続されるインターフェースである。また、記憶部１０６は、各種のデータベースやテーブルなどを格納する装置である。これら端末装置１００の各部は任意の通信路を介して通信可能に接続されている。更に、この端末装置１００は、ルータ等の通信装置および専用線等の有線または無線の通信回線を介して、ネットワーク３００に通信可能に接続されている。
【００３７】
記憶部１０６に格納される各種のデータベースやテーブルは、固定ディスク装置等のストレージ手段である。例えば、記憶部１０６は、各種処理に用いる各種のプログラム、テーブル、ファイル、データベース、および、ウェブページ等を格納する。
【００３８】
また、図１において、通信制御インターフェース部１０４は、端末装置１００とネットワーク３００（またはルータ等の通信装置）との間における通信制御を行う。すなわち、通信制御インターフェース部１０４は、他の端末と通信回線を介してデータを通信する機能を有する。
【００３９】
また、図１において、入出力インターフェース部１０８は、画像読取部１１２や出力部１１４や入力部１１６の制御を行う。ここで、画像読取部１１２は、カメラ等の撮像装置やファクシミリ等の画像読取手段である。出力部１１４としては、モニタ（家庭用テレビを含む）の他、スピーカを用いることができる（なお、以下においては出力部１１４をモニタとして記載する場合がある）。また、入力部１１６としては、キーボード、マウス、およびマイク等を用いることができる。
【００４０】
また、図１において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、受領証画像取得部１０２ａ、受領証画像送信部１０２ｂ、情報登録部１０２ｃ、および、ステータス照会部１０２ｄを備える。
【００４１】
このうち、受領証画像取得部１０２ａは、画像読取部１１２を介して、識別情報が記載された払込済の払込票の払込金受領証を含む画像の画像データを取得する受領証画像取得手段である。ここで、図２は、本実施形態において用いる払込票の一例を示す図である。
【００４２】
図２の例では、払込票となる振込用紙は、払込取扱票ＭＡ−１と、払込金収納通知ＭＡ−２と、払込金受領証ＭＡ−３の３部から構成される。それぞれの送金先名義欄ＭＡ−１１，ＭＡ−２１，ＭＡ−３１には、送金先の名義を記載するものであり、一例として、金融機関名や支店名、科目、口座番号、口座名義等を記載してもよい。また、それぞれの送金金額欄ＭＡ−１２，ＭＡ−２２，ＭＡ−３２には、送金金額を記載する。また、それぞれの払込人名欄ＭＡ−１３，ＭＡ−２３，ＭＡ−３３には、払込人名を記載するものであり、一例として、払込者の住所および氏名を記載する。また、収納印欄ＭＡ−１４，２４，３４は、収納印を押印する欄である。なお、本実施形態にかかる識別情報は、払込人名欄ＭＡ−１３，２３，３３の払込者の氏名の冒頭に記載することを基本とする。但し、これ以外にも記載することも可能である。例えば、払込前の払込票の所定の箇所に、予め識別情報の記入欄を印刷しておき、この識別情報の記入欄に払込者の識別情報を記載させてもよい。また、払込前の払込票は、郵便局を含む複数の金融機関にて払込が利用可能な態様にて印刷されていてもよい。例えば、払込前の払込票の所定の箇所に、予め金融機関の選択肢チェック欄を印刷しておき、所望の金融機関を選ぶようチェック欄にチェックマークを記入させてもよい。
【００４３】
ここで、郵便局等の窓口では受け付けた払込では、払込票のうちの払込取扱票ＭＡ−１と払込金収納通知ＭＡ−２とを窓口が受け取り、払込金受領証ＭＡ−３は依頼人（払込者等）に手渡される。さらに、窓口で受け取った払込取扱票ＭＡ−１は、郵便局内での受取人口座への払込処理の原票として保管される。一方、払込金収納通知ＭＡ−２は、受取人口座への入金処理後、収納通知として受取人（収納企業）に渡される。より詳細には、払込金収納通知ＭＡ−２は、本部の取り纏め部門に毎日送付され、そこで収納企業ごとに集約され、各収納企業に送付されるので、収納企業が払込金収納通知ＭＡ−２を受け取るまでに数営業日を要する。なお、上述した払込票の形式は、この例に限定されるものではなく、例えば、払込取扱票ＭＡ−１と、払込金受領証ＭＡ−３の２部から構成されてもよい。また、郵便局の窓口で払込を行うことに限られず、金融機関の窓口での払込に加えて現金や口座振替等により払込や振込を実施してもよい。
【００４４】
ここで、時系列に沿って手続の流れを説明すると、従来、（１）まず、払込票（振込票）の利用では、払込者は、郵便局等の金融機関の窓口で払込票に加えて、現金や口座振替等により払込（振込）を実施する。（２）そして、郵便局等の金融機関の窓口は、収納金額を確認し、払込取扱票ＭＡ−１と払込通知書ＭＡ−２と払込金受領証ＭＡ−３のそれぞれに収納印を押印した上で、払込金受領証を払込者に渡す。（３）そして、払込者は、郵便局等の金融機関の窓口で払込金受領証ＭＡ−３を受け取る。（４）そして、郵便局等の金融機関は、払込票に基づいて収納口座への入金処理を行い、口座入金処理完了後に収納通知書ＭＡ−２を収納企業に送付する。（５）収納企業では、受領した収納通知書ＭＡ−２と収納口座の入金明細との突合せを行い、個別請求への入金確定を完了させる。
【００４５】
再び図１の説明に戻り、払込者である端末装置１００の利用者は、金融機関から払込金受領証を受け取ると、画像読取部１１２に払込金受領証を含む画像を読取らせることによって、受領証画像取得部１０２ａは、画像読取部１１２を介して、識別情報が記載された払込済の払込票の払込金受領証を含む画像の画像データを取得する。ここで、端末装置１００の利用者は、予め識別情報が印刷された払込票を用いて払込を行ってもよく、外部機器７００から割り当てられた個人ＩＤ等の識別情報を払込票に記入して払込を行ってもよい。
【００４６】
また、受領証画像取得部１０２ａが取得する画像には、払込金受領証の画像以外の画像が含まれてもよい。例えば、受領証画像取得部１０２ａが取得する画像には、受験願書等の申込書類等の画像が含まれてもよい。本実施形態を受験にかかる手続に適用した手続の一例を説明する。（１）まず、受験者は、受験科目を決め、受験料、手数料、その他の受験に必要な払込金額を払込票に記入する。なお、払込人名は受験者の氏名を記入する。（２）そして、受験者は、郵便局の窓口で払込を行い、払込金受領証を受け取る（払込人名には受験者の氏名記入）。（３）そして、郵便局は、払込操作をする際は、払込番号と払込人名を記帳して入金明細データを生成する。（４）そして、利用者は、払込金額、識別情報である払込番号、払込人氏名（受験者氏名）および郵便局の収納印が判別できるように、払込金受領証の画像を端末装置１００の画像読取部１１２にて撮像する。（５）なお、撮像された画像データは、後述する受領証画像送信部１０２ｂの処理により、指定アドレス先のサーバ装置２００に送信される。（６）また、利用者は、払込金受領証を貼付した入学願書を、正式な申込書類として郵便局の窓口から郵送してもよい。なお、上述の例では、識別情報を、払込番号や個人ＩＤとして説明したが、これに限られず、払込票ごとに異なるユニークな番号など、払込票や払込者を一意に特定する識別情報であってもよく、記載される識別情報の形態は、文字や数字に限られず、バーコードや二次元コード等のコード情報であってもよい。
【００４７】
また、受領証画像送信部１０２ｂは、受領証画像取得部１０２ａにより取得された画像データを、サーバ装置２００に送信する受領証画像送信手段である。ここで、受領証画像送信部１０２ｂは、受領証画像取得部１０２ａにより取得された画像データに基づいて、送信先情報（ＵＲＬ（Ｕｎｉｆｏｒｍ  Ｒｅｓｏｕｒｃｅ  Ｌｏｃａｔｏｒ）やアドレス情報等）を取得し、送信先情報により特定されるサーバ装置２００に送信してもよい。なお、払込票に記載される送信先情報の形態は、文字や数字に限られず、バーコードや二次元コード等のコード情報であってもよい。
【００４８】
また、情報登録部１０２ｃは、入力部１１６を介して利用者の情報等を登録することにより外部機器７００等から登録内容に対応付けられた識別情報を取得する情報登録手段である。例えば、外部機器７００等が提供する個人ＩＤ採番サイトを提供している場合において、情報登録部１０２ｃは、個人ＩＤ採番サイトの表示画面を出力部に出力し、利用者に入力部１１６を介して、氏名、生年月日、性別、現住所、電話番号、メールアドレス等の基本情報を入力するように制御し、入力された基本情報を外部機器７００に送信することにより外部機器７００から送信される、基本情報を一意に特定する識別情報を受信して出力部１１４に表示してもよい。なお、情報登録部１０２ｃは、基本情報に加えて、志望学部や志望学科等を、利用者に入力部１１６を介して選択するように制御し、選択情報を外部機器７００に送信することにより外部機器７００から送信される、基本情報と選択情報を特定する識別情報を受信して出力部１１４に表示してもよい。
【００４９】
また、ステータス照会部１０２ｄは、サーバ装置２００に識別情報を含む照会要求を送信することにより、サーバ装置２００から送信される、マッチング処理結果等のステータス情報を受信して出力部１１４に出力するステータス照会手段である。例えば、ステータス情報は、マッチング処理の結果に応じた、入金の確認や消し込み等に関する情報、入金の確認に基づいた書類や商品の発送状況等に関する情報である。
【００５０】
図１において、サーバ装置２００は、ネットワーク３００を介して、端末装置１００や金融機関システム６００や外部機器７００等と相互に接続される。サーバ装置２００は、概略的に、制御部２０２と通信制御インターフェース部２０４と記憶部２０６を備える。ここで、制御部２０２は、サーバ装置２００の全体を統括的に制御するＣＰＵ等である。また、通信制御インターフェース部２０４は、通信回線等に接続されるルータ等の通信装置（図示せず）に接続されるインターフェースである。また、記憶部２０６は、各種のデータベースやテーブルなどを格納する装置である。これらサーバ装置２００の各部は任意の通信路を介して通信可能に接続されている。更に、このサーバ装置２００は、ルータ等の通信装置および専用線等の有線または無線の通信回線を介して、ネットワーク３００に通信可能に接続されている。
【００５１】
記憶部２０６に格納される各種のデータベースやテーブル（管理データベース２０６ａや画像ファイル２０６ｂ等）は、固定ディスク装置等のストレージ手段である。例えば、記憶部１０６は、各種処理に用いる各種のプログラム、テーブル、ファイル、データベース、および、ウェブページ等を格納する。
【００５２】
これら記憶部２０６の各構成要素のうち、管理データベース２０６ａは、識別情報に対応付けて入金明細データや入金確定予定データやステータス情報等の管理情報を記憶する管理情報記憶手段である。例えば、管理データベース２０６ａは、入金確定予定データ取得部２０２ｂにより画像データに基づいて取得された入金確定予定データを識別情報に対応付けて記憶してもよい。また、管理データベース２０６ａは、入金明細データ受信部２０２ｃにより受信された入金明細データを識別情報に対応付けて記憶してもよい。また、管理データベース２０６ａは、マッチング処理部２０２ｄによるマッチング処理の結果をステータス情報（照合、消し込み等のステータス）として記憶してもよい。また、管理データベース２０６ａは、登録情報受付部２０２ｆにより外部機器７００から受信されたステータス情報（書類や商品等の発送等のステータス）をステータス情報として記憶してもよい。更に外部機器７００から受信された識別情報とその登録情報は、入金予定の登録者情報であり、画像データに基づく入金確定予定データの代替として入金明細データとのマッチングに利用することも出来る。これにより、払込受領証の画像データを基に入金確定予定データを作成し、入金明細データとのマッチングをかける以外に、画像データと同様に、個人情報登録をして識別情報の個人ＩＤを取得し、これを識別情報として払込してきた入金明細データでは、個人ＩＤと入金明細データの識別情報のマッチングで入金人個人が特定でき、入金確定予定情報とのマッチングと同様の効果を奏する。
【００５３】
また、画像ファイル２０６ｂは、受領証画像受信部２０２ａにより受信された画像データを記憶する画像データ記憶手段である。ここで、画像ファイル２０６ｂは、入金確定予定データ取得部２０２ｂにより画像データに基づく入金確定予定データが取得された後も、取得された識別情報に対応付けて画像データを記憶してもよい。
【００５４】
また、図１において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、受領証画像受信部２０２ａ、入金確定予定データ取得部２０２ｂ、入金明細データ受信部２０２ｃ、マッチング処理部２０２ｄ、登録情報受付部２０２ｆ、および、照会受付部２０２ｇを備える。
【００５５】
このうち、受領証画像受信部２０２ａは、端末装置１００から送信される、払込金受領証を含む画像の画像データを受信する受領証画像受信手段である。ここで、受領証画像受信部２０２ａは、受信した画像データを画像ファイル２０６ｂに格納してもよい。
【００５６】
また、入金確定予定データ取得部２０２ｂは、受領証画像受信部２０２ａにより受信された画像データに基づいて、払込金受領証に記載された識別情報を含む情報を、入金確定予定データとして取得する入金確定予定データ取得手段である。例えば、入金確定予定データ取得部２０２ｂは、公知の光学式文字認識（ＯＣＲ）技術により、画像データから、払込金受領証に記載された文字情報を取得してもよい。ここで、払込前の払込票の所定の箇所に予め識別情報の記入欄が印刷されている場合、入金確定予定データ取得部２０２ｂは、当該所定の箇所の記載に対し光学式文字認識を行うことにより、文字情報の読取精度を向上させてもよい。また、入金確定予定データ取得部２０２ｂは、公知のコード読取手法により、画像データから、払込金受領証に記載されたコード情報（バーコード情報、二次元コード情報等）を取得してもよい。
【００５７】
また、入金明細データ受信部２０２ｃは、入金明細データを金融機関システム６００から受信し、識別情報に対応付けて管理データベース２０６ａに格納する入金明細データ受信手段である。例えば、入金明細データ受信部２０２ｃは、収納口座の口座番号に基づいて金融機関システム６００の入金明細データベース６０６ａに照会を行うことにより、収納口座の入金明細データを取得してもよい。ここで、入金明細データ受信部２０２ｃは、定期的に収納口座の入金明細データをダウンロードしてもよく、受領証画像受信部２０２ａにより画像データが取得された契機、または、入金確定予定データ取得部２０２ｂにより入金確定予定データが取得された契機において、入金明細データをダウンロードして、管理データベース２０６ａに記憶する入金明細データを最新の状態に更新してもよい。
【００５８】
また、マッチング処理部２０２ｄは、入金確定予定データ取得部２０２ｂにより取得された入金確定予定データと、入金明細データ受信部２０２ｃにより受信された入金明細データと、を識別情報に基づいて対応付けるマッチング処理を行うマッチング処理手段である。例えば、マッチング処理部２０２ｄは、入金確定予定データ取得部２０２ｂにより識別情報を含む入金確定予定データが取得された場合に、当該識別情報を検索キーとして管理データベース２０６ａに対して検索を行い、検索の結果、識別情報に対応する入金明細データが取得された場合に、マッチングが完了した旨（入金確認等）のステータス情報を管理データベース２０６ａに格納してもよい。
【００５９】
また、登録情報受付部２０２ｆは、外部機器７００から登録情報やステータス情報（商品や書類等の発送状況等）等を受信して、管理データベース２０６ａに識別情報に対応付けて格納する登録情報受付手段である。ここで、登録情報受付部２０２ｆは、識別情報に基づいて外部機器７００のデータベースに対して照会を行い、その結果得られた識別情報に対応する登録情報（基本情報や選択情報等）やステータス情報等を取得して、管理データベース２０６ａに対応付けて格納してもよい。なお、登録情報受付部２０２ｆが、外部機器７００と同様の処理を行ってもよい。
【００６０】
例えば、登録情報受付部２０２ｆは、端末装置１００の利用者の基本情報や選択情報等の登録情報を端末装置１００から受信し、登録情報に対応付けて識別情報を割り当てて、管理データベース２０６ａに格納するとともに、端末装置１００に割り当てた識別情報を通知してもよい。
【００６１】
ここで、一例として、外部機器７００は、受験機関等の収納企業等の装置であって、上述したように受験者の端末装置１００から、基本情報や選択情報等を受信すると、識別情報を端末装置１００に送信し、登録情報を識別情報に対応付けてデータベースに格納する。ここで、収納企業等は、払込用紙に基本情報や識別情報を印刷して払込票を作成し、住所等の基本情報に基づいて払込予定者（受験者）に郵送してもよい。
【００６２】
また、照会受付部２０２ｇは、識別情報を含むマッチング処理結果等のステータス情報等の取得要求（照会要求）を端末装置１００や外部機器７００等から受信した場合に、当該識別情報に対応するマッチング処理結果に関する情報（ステータス情報等）を管理データベース２０６ａから取得して当該取得要求の送信元に送信する取得要求受付手段である。これにより、従来、払込者では、払込金受領証を金融機関の窓口で受け取っているが、払込先企業の収納口座に届いているか確認できないという問題点や、収納企業はどのような対応をしているのか等のステータスを把握できないといった問題点を解消することができる。
【００６３】
つづいて、金融機関システム６００の構成の一例について図３を参照して説明する。図３は、金融機関システム６００の構成の一例を示すブロック図であり、該構成のうち本発明に関係する部分のみを概念的に示している。なお、以下の例では、金融機関システム６００がスタンドアローン型のシステムとして説明するが、これに限られず、複数の装置からなるシステムであってもよい。
【００６４】
図３において、金融機関システム６００は、概略的に、制御部６０２と通信制御インターフェース部６０４と入出力インターフェース部６０８と記憶部６０６を備える。ここで、制御部６０２は、金融機関システム６００の全体を統括的に制御するＣＰＵ等である。また、通信制御インターフェース部６０４は、通信回線等に接続されるルータ等の通信装置（図示せず）に接続されるインターフェースであり、入出力制御インターフェース部６０８は、出力部６１４や入力部６１６に接続されるインターフェースである。また、記憶部６０６は、各種のデータベースやテーブルなどを格納する装置である。これら金融機関システム６００の各部は任意の通信路を介して通信可能に接続されている。更に、この金融機関システム６００は、ルータ等の通信装置および専用線等の有線または無線の通信回線を介して、ネットワーク３００に通信可能に接続されている。
【００６５】
記憶部６０６に格納される各種のデータベースやテーブル（入金明細データベース６０６ａ）は、固定ディスク装置等のストレージ手段である。例えば、記憶部６０６は、各種処理に用いる各種のプログラム、テーブル、ファイル、データベース、および、ウェブページ等を格納する。
【００６６】
このうち、入金明細データベース６０６ａは、払込済の払込票に基づいて生成された、入金明細データを記憶する入金明細データ記憶手段である。ここで、入金明細データベース６０６ａは、収納口座毎に入金明細データを記憶してもよい。また、本実施形態において払込票に識別情報が記載されていた場合は、識別情報に対応付けた払込単位の入金明細データを記憶してもよい。
【００６７】
また、図３において、通信制御インターフェース部６０４は、金融機関システム６００とネットワーク３００（またはルータ等の通信装置）との間における通信制御を行う。すなわち、通信制御インターフェース部６０４は、他の端末と通信回線を介してデータを通信する機能を有する。
【００６８】
また、図３において、入出力インターフェース部６０８は、出力部６１４や入力部６１６の制御を行う。出力部１１４としては、モニタ（家庭用テレビを含む）の他、スピーカを用いることができる（なお、以下においては出力部１１４をモニタとして記載する場合がある）。また、入力部１１６としては、カメラ等の撮像装置、キーボード、マウス、およびマイク等を用いることができる。
【００６９】
また、図３において、制御部６０２は、ＯＳ等の制御プログラムや、各種の処理手順等を規定したプログラム、および、所要データを格納するための内部メモリを有する。そして、制御部６０２は、これらのプログラム等により、種々の処理を実行するための情報処理を行う。制御部６０２は、機能概念的に、入金明細データ生成部６０２ａ、および、入金明細データ送信部６０２ｂを備える。
【００７０】
このうち、入金明細データ生成部６０２ａは、識別情報が記載された払込済の払込票に基づいて、入金明細データを生成する入金明細データ生成手段である。ここで、入金明細データ生成部６０２ａは、金融機関の窓口等において、払込票に基づいて、入金明細データを、キーボード等の入力部６１６を介して手入力させてもよい。また、入金明細データ生成部６０２ａは、撮像手段としての入力部６１６を介して払込票の画像を読取ることにより、公知の光学式文字認識（ＯＣＲ）技術により、画像データから払込票に記載された文字情報を取得してもよい。ここで、払込前の払込票の所定の箇所に予め識別情報の記入欄が印刷されている場合、入金確定予定データ取得部２０２ｂは、当該所定の箇所の記載に対し光学式文字認識を行うことにより、文字情報の読取精度を向上させてもよい。また、入金明細データ生成部６０２ａは、公知のコード読取手法により、画像データから払込票に記載されたコード情報（バーコード情報、二次元コード情報等）を取得してもよい。なお、入金明細データ生成部６０２ａは、生成した入金明細データを、収納口座ごとに管理データベース２０６ａに格納してもよい。
【００７１】
また、入金明細データ送信部６０２ｂは、入金明細データ生成部２０２ａにより生成された入金明細データを、サーバ装置２００に送信する入金明細データ送信手段である。例えば、入金明細データ送信部６０２ｂは、サーバ装置２００から収納口座の口座番号に基づく照会要求を受信した場合に、口座番号に対応する入金明細データを入金明細データベース６０６ａから取得してサーバ装置２００に送信してもよい。これに限られず、入金明細データ送信部６０２ｂは、サーバ装置２００から識別情報に基づく照会要求を受信した場合に、識別情報を含む入金明細データを入金明細データベース６０６ａから取得してサーバ装置２００に送信してもよい。
【００７２】
また、外部機器７００は、ネットワーク３００を介して、端末装置１００やサーバ装置２００や金融機関システム６００等と相互に接続され、利用者に対して個人ＩＤ採番サイト等のウェブサイトや、登録された基本情報や選択情報等の登録情報やステータス情報（商品や書類等の発送状況等）に関する外部データベースや、識別番号等による照会要求を受け付けた場合にデータベースから登録情報やステータス情報を取得して照会要求の送信元に送信する等の外部プログラム等を実行するウェブサイトを提供する機能を有する。
【００７３】
ここで、一例として、外部機器７００は、受験機関等の収納企業等の装置であって、上述したように受験者の端末装置１００から、基本情報や選択情報等を受信すると、識別情報を端末装置１００に送信し、登録情報を識別情報に対応付けてデータベースに格納する。ここで、収納企業等は、払込用紙に基本情報や識別情報を印刷して払込票を作成し、住所等の基本情報に基づいて払込予定者（受験者）に郵送してもよい。
【００７４】
ここで、外部機器７００は、ＷＥＢサーバやＡＳＰサーバ等として構成していてもよい。また、外部機器７００のハードウェア構成は、一般に市販されるワークステーション、パーソナルコンピュータ等の情報処理装置およびその付属装置により構成していてもよい。また、外部機器７００の各機能は、外部機器７００のハードウェア構成中のＣＰＵ、ディスク装置、メモリ装置、入力装置、出力装置、通信制御装置等およびそれらを制御するプログラム等により実現される。
【００７５】
以上で、本収納管理システムの構成の説明を終える。
【００７６】
［収納管理システムの処理］
次に、このように構成された本実施の形態における本収納管理システムの処理の一例について、以下に図４〜図１１を参照して詳細に説明する。
【００７７】
［収納管理処理］
まず、本収納管理システムの処理のうち、収納管理処理の詳細について図４〜図８を参照して説明する。図４は、本実施の形態における本収納管理システムの収納管理処理の一例を示すフローチャートである。
【００７８】
なお、以下の実施形態では、金融機関システム６００からの入金明細データの受信タイミング（ステップＳＡ−３）が、端末装置１００からの画像データの受信タイミング（ステップＳＡ−６）よりも早い例について説明するが、本実施形態は、この例に限られない。例えば、ステップＳＡ−４〜ＳＡ−６の処理を終えた後に、ステップＳＡ−１〜ＳＡ−３の処理が行われてもよいものである。例えば、サーバ装置２００は、入金確定予定データを取得後（ステップＳＡ−７）において、マッチング処理を行うために、最新の入金明細データベースを金融機関システム６００からダウンロードしてもよい。
【００７９】
図４に示すように、まず、金融機関システム６００の入金明細データ生成部６０２ａは、識別情報が記載された払込済の払込票に基づいて、識別情報を含む入金明細データ（払込金額、送金先情報、払込者情報等）を生成する（ステップＳＡ−１）。ここで、図５は、本実施形態において用いる払込票の具体例を示す図である。
【００８０】
図５に示すように、払込票は、払込取扱票ＭＡ−１と、払込金収納通知ＭＡ−２と、払込金受領証ＭＡ−３の３部から構成され、各部には識別情報（図の例では「１２３４５６」）が記載される。なお、識別情報は払込人名欄の払込者の氏名の冒頭に記載することを基本とするが、これ以外にも記載することも可能とする（払込前の払込票に予め識別情報の記入欄を印刷する例や複数の金融機関にて払込が利用可能な態様にて印刷する例について後述する）。郵便局等の窓口では受け付けた払込では、払込票のうちの払込取扱票ＭＡ−１と払込金収納通知ＭＡ−２とを窓口が受け取り、払込金受領証ＭＡ−３は利用者（払込者）に手渡される。一例として、入金明細データ生成部６０２ａは、識別情報が記載された払込済の払込票の払込取扱票ＭＡ−１または払込金収納通知ＭＡ−２に基づいて、入金明細データを生成する。なお、入金明細データ生成部６０２ａは、払込票に基づいて、入金明細データを、キーボード等の入力部６１６を介して手入力させてもよい。また、入金明細データ生成部６０２ａは、撮像手段としての入力部６１６を介して払込票の画像を読取ることにより、公知の光学式文字認識（ＯＣＲ）技術により、画像データから払込票に記載された文字情報を取得してもよく、公知のコード読取手法により、画像データから払込票に記載されたコード情報（バーコード情報、二次元コード情報等）を取得してもよい。このように、入金明細データ生成部６０２ａは、識別情報を含む入金明細データを生成する。
【００８１】
そして、金融機関システム６００の入金明細データ送信部６０２ｂは、入金明細データ生成部２０２ａにより生成された入金明細データを、サーバ装置２００に送信する（ステップＳＡ−２）。
【００８２】
そして、サーバ装置２００の入金明細データ受信部２０２ｃは、入金明細データを金融機関システム６００から受信し、識別情報に対応付けて管理データベース２０６ａに格納する（ステップＳＡ−３）。
【００８３】
一方、利用者（払込者）が金融機関の窓口で受け取った払込金受領証ＭＡ−３を画像読取部１１２の撮像面に提示することにより、端末装置１００の受領証画像取得部１０２ａは、識別情報が記載された払込金受領証ＭＡ−３を含む画像の画像データを取得する（ステップＳＡ−４）。ここで、画像読取部１１２は、カメラやスキャナやファクシミリ等であってもよい。
【００８４】
そして、端末装置１００の受領証画像送信部１０２ｂは、受領証画像取得部１０２ａにより取得された画像データを、サーバ装置２００に送信する（ステップＳＡ−５）。ここで、受領証画像送信部１０２ｂは、受領証画像取得部１０２ａにより取得された画像データに基づいて、送信先情報（ＵＲＬやアドレス情報等）を取得し、送信先情報により特定されるサーバ装置２００に送信してもよい。ここで、図６は、払込金受領証が貼付された申込書類の画像データに送信先情報が含まれる例を示す図である。
【００８５】
図６に示すように、この申込書類は、受験申込書ＭＢ−１と受領証貼付欄ＭＢ−２から構成され、受領証貼付欄ＭＢ−２に払込金受領証ＭＡ−３を貼付して用いる。なお、図６に示すように、受領証貼付欄ＭＢ−２には、送信先情報を格納したＱＲコード（登録商標）が印刷されているので、受領証画像送信部１０２ｂは、画像データからＱＲコード（登録商標）のコード情報である送信先情報を取得することができる。なお、払込票に記載される送信先情報の形態は、ＱＲコード（登録商標）等の二次元コードに限られず、文字や数字等であってもよい。
【００８６】
再び図４に戻り、サーバ装置２００の受領証画像受信部２０２ａは、端末装置１００から送信された、払込金受領証ＭＡ−３を含む画像の画像データを受信し、受信した画像データを画像ファイル２０６ｂに格納する（ステップＳＡ−６）。
【００８７】
そして、サーバ装置２００の入金確定予定データ取得部２０２ｂは、受領証画像受信部２０２ａにより受信された画像データに基づいて、払込金受領証ＭＡ−３に記載された識別情報を含む情報を、入金確定予定データとして取得する（ステップＳＡ−７）。ここで、図７は、図５の払込金受領証ＭＡ−３が貼付された申込書類の画像データに基づいて取得された入金確定予定データの一例を示す図である。
【００８８】
図７に示すように、入金確定予定データ取得部２０２ｂは、公知の光学式文字認識（ＯＣＲ）技術等を用いて、画像データからデジタルデータ（テキストデータ等）に変換し、得られたデジタルデータを入金確定予定データとして管理データベース２０６ａに格納する。なお、入金確定予定データ取得部２０２ｂは、画像データにバーコードや二次元コード等の画像が含まれる場合に、公知のコード読取手法により、コード情報を取得してもよい。
【００８９】
再び図４に戻り、サーバ装置２００のマッチング処理部２０２ｄは、入金確定予定データ取得部２０２ｂにより取得された入金確定予定データと、入金明細データ受信部２０２ｃにより受信された入金明細データと、を識別情報に基づいて対応付けるマッチング処理を行う（ステップＳＡ−８）。例えば、マッチング処理部２０２ｄは、入金確定予定データ取得部２０２ｂにより識別情報を含む入金確定予定データが取得された場合に、当該識別情報をクエリとして管理データベース２０６ａに対して検索を行い、検索の結果、識別情報に対応する入金明細データが取得された場合に、マッチングが完了した旨（入金確認等）のステータス情報を管理データベース２０６ａに格納してもよい。ここで、図８は、管理データベース２０６ａのデータ構成の一例を示す図である。
【００９０】
図８に記載のように、一例として、管理データベース２０６ａは、識別情報である特番に対応付けて、氏名や、払込金額や、内訳明細、入金ステータス、および、受験学科、ならびに、画像ファイル２０６ｂに記憶される画像データの写真ＩＤ等の管理情報を記憶している。図８に示すように、マッチング処理部２０２ｄは、マッチング処理を行う前の段階では、入金のデータ項目を「未」（確定）としておき、マッチング処理の結果、入金確定予定データと入金明細データとの対応付けができると、入金のデータ項目を「確定」に変更してもよい。例えば、管理データベース２０６ａは、入金ステータスのフラグを０（未確定）から１（確定）に変更してもよい。このように、管理データベース２０６ａは、マッチング処理部２０２ｄによるマッチング処理の結果をステータス情報（照合、消し込み等のステータス）として記憶してもよい。
【００９１】
これにて、収納管理処理が終了する。
【００９２】
［ステータス照会処理］
つづいて、本収納管理システムの処理のうち、ステータス照会処理の詳細について図４を参照して説明する。
【００９３】
まず、端末装置１００のステータス照会部１０２ｄは、識別情報を含む照会要求をサーバ装置２００に送信する（ステップＳＡ−９）。
【００９４】
そして、サーバ装置２００の照会受付部２０２ｇは、識別情報を含む照会要求を端末装置１００から受信し（ステップＳＡ−１０）、当該識別情報に対応するステータス情報等の管理情報を管理データベース２０６ａから取得する（ステップＳＡ−１１）。
【００９５】
そして、サーバ装置２００の照会受付部２０２ｇは、取得した照会結果であるステータス情報等の管理情報を端末装置１００に送信する（ステップＳＡ−１２）。
【００９６】
そして、端末装置１００のステータス照会部１０２ｄは、サーバ装置２００から送信された、照会結果であるステータス情報等の管理情報を受信し（ステップＳＡ−１３）、出力部１１４に出力する（ステップＳＡ−１４）。例えば、ステータス照会部１０２ｄは、受信したステータス情報に基づいて、モニタ等の出力部１１４に、マッチング処理結果に応じた、入金の確認や消し込み等の状況や、入金の確認に基づいた書類や商品の発送状況等に関する情報を表示させてもよい。これにより、利用者（払込者）は、払込先企業の収納口座に入金されたかどうかや、入金確認がなされて対応する商品やサービスが提供される状態か否か等のステータスを確認することができる。
【００９７】
これにて、ステータス照会処理が終了する。
【００９８】
［識別情報登録処理］
まず、本収納管理システムの処理のうち、識別情報登録処理の詳細について図９〜図１１を参照して説明する。上述の例では、予め識別情報が振込用紙の専用欄に印字された払込票を用いた例について説明したが、これに限られず、任意の振込用紙に、利用者が割り当てられた識別情報を記入して作成した払込票を用いてもよい。ここで、図９は、本実施の形態における本収納管理システムの識別情報登録処理の一例を示す遷移図である。
【００９９】
図９に示すように、まず、サーバ装置２００の登録情報受付部２０２ｆは、個人ＩＤ採番サイト等のＷｅｂサイトを提供する等により、端末装置１００の利用者に入力部１１６を介して、氏名、生年月日、性別、現住所、電話番号、メールアドレス等の基本情報を入力させるように制御し、入力された基本情報を端末装置１００から受信する（ステップＭＣ−１）。
【０１００】
そして、サーバ装置２００の登録情報受付部２０２ｆは、端末装置１００の利用者に入力部１１６を介して、志望学部や志望学科等を選択するように制御し、入力された選択情報を端末装置１００から受信する（ステップＭＣ−２）。
【０１０１】
そして、サーバ装置２００の登録情報受付部２０２ｆは、受信した基本情報と選択情報を表示するＷｅｂサイトを端末装置１００に送信して出力部１１４に表示させ、利用者に確認させる（確認ボタンを押下する）よう制御する（ステップＭＣ−３）。
【０１０２】
そして、サーバ装置２００の登録情報受付部２０２ｆは、管理データベース２０６ａに格納した基本情報と選択情報を一意に特定することができる識別情報として個人ＩＤ番号を割り当てる。例えば、登録情報受付部２０２ｆは、利用者毎に固有の識別番号となるように、最初の一桁目において性別を表す記号（Ｍ：男性またはＦ：女性）を割り当て、あとの５桁において、０〜９＋Ａ〜Ｚの３５進数の数字（例えば「ＭＡＡＡＡ６」）を割り当ててもよい。そして、登録情報受付部２０２ｆは、割り当てた個人ＩＤ番号と検定料・手数料（払込金額）を提示するＷｅｂサイトを端末装置１００を送信して出力部１１４に出力させる（ステップＭＣ−４）。ここで、図１０は、端末装置１００の出力部１１４に表示される、個人ＩＤ番号および検定料・手数料（払込金額）を提示する表示画面の一例を示す図である。
【０１０３】
図１０に示すように、サーバ装置２００の登録情報受付部２０２ｆは、任意の払込用紙に記入するための識別情報としてＩＤ番号と、払込が必要な検定料と手数料の合計金額を提示するＷｅｂサイトを表示させる。ここで、図１１は、利用者により任意の払込用紙に記入して作成された払込票の一例を示す図である。
【０１０４】
図１１に示すように、利用者は、振込用紙の払込取扱票ＭＡ−１´と払込金収納通知ＭＡ−２´と払込金受領証ＭＡ−３´の３部それぞれに、通常必要な送金先の名義や送金金額や払込者の住所および氏名を記載した上で、更に、割り当てられた識別情報を記入する。この例では、払込者名義欄の氏名の欄の冒頭に、割り当てられた識別情報である個人ＩＤ番号（図中の「ＭＡＡＡＡ６」）を記入する。このように任意の払込用紙を用いて本実施の形態を実施することも可能である。
【０１０５】
これにて、識別情報登録処理の説明を終える。
【０１０６】
以上、本実施形態によれば、払込者からの払込金受領証の画像データの電送に基づいて自動作成する入金確定予定データと、金融機関の収納口座への入金明細データとのシステムマッチングによる入金確定リストの作成を行う。これにより、収納企業では、入金通知書の到着を待たずに入金明細の確定ができ、画像データの未着分のみ入金通知書データと入金明細データとの突合せで入金確定が完了できるため、入金確定の負荷と時間が大幅に削減できる。更に、管理データベースの情報を逐次照会してデータ利用可能とすることで、収納企業は入金確定後の処理をシステム連携する対応も可能となる。また、払込者が払込金の収納企業でのステータスや払込後の対応状況が照会できるツールへ連携可能となる。ここで、払込票の他の実施の態様について以下に説明する。なお、払込票について特記しない部分については、上記（図２等）と同様の態様にて印刷可能である。
【０１０７】
［払込票１］
ここで、図１２は、他の実施の態様としての払込票１の一例を示す図である。図１２に示すように、この例でも上記と同様に、払込票となる振込用紙は、払込取扱票ＭＡ−１と、払込金収納通知ＭＡ−２と、払込金受領証ＭＡ−３の３部から構成される。
【０１０８】
図１２に示すように、本払込票１では、払込人名欄ＭＡ−１３，ＭＡ−２３，ＭＡ−３３は、払込者の識別番号記入欄ＭＡ−ｎ３１と、払込人名記入欄ＭＡ−ｎ３２と、払込人住所電話番号等記入欄ＭＡ−ｎ３３から構成される。
【０１０９】
このように本払込票１において払込者の氏名とは別に識別番号を記入する欄を設けることにより、各金融機関において、ＯＣＲの読取り位置を正しく設定することができ、文字認識の精度を向上させることができる。より具体的には、各金融機関システム６００の入金明細データ生成部６０２ａによりＯＣＲで読取る位置に応じて記入枠を印刷して、識別番号や名前が正しく読取れるように記入場所を設定することができる。郵便局に限らず他の金融機関においても同様に、各行のシステムに合わせた印刷位置設定をすることにより、識別番号や名前が当該金融機関のシステムにおいて正確に取得することができ、本収納管理システムにおける連携によって払込人の正確な情報取得が可能となる。
【０１１０】
［払込票２］
ここで、図１３は、他の実施の態様としての払込票２の一例を示す図である。図１３に示すように、この例でも上記と同様に、払込票となる振込用紙は、払込取扱票ＭＡ−１と、払込金収納通知ＭＡ−２と、払込金受領証ＭＡ−３の３部から構成される。
【０１１１】
図１３に示すように、本払込票２では、払込人名欄ＭＡ−１３，ＭＡ−２３，ＭＡ−３３は、払込者の識別番号記入欄ＭＡ−ｎ３１と、払込人名記入欄ＭＡ−ｎ３２と、払込人住所等記入欄ＭＡ−ｎ３３に加えて、送信先の名義欄ＭＡ−ｎ３４から構成される。より具体的には、送信先の名義欄ＭＡ−ｎ３４には、郵貯銀行以外の金融機関名や支店名、科目、口座番号、口座名義等が印刷される。
【０１１２】
このように、送信先の名義欄ＭＡ−ｎ３４を別途設けることにより、一枚の払込票で郵便局やその他の銀行を含む複数の金融機関にて払込が利用できるようになる。ここで、図１４は、複数の金融機関にて払込が利用可能に印刷された払込票２の一例を示す図であり、図１５は、郵便局のみにて払込が利用可能に印刷された払込票の例を示す図である。
【０１１３】
図１４に示すように、本払込票２の例では、払込前の払込票に、予め金融機関の選択肢チェック欄を印刷しておき、所望の金融機関を選ぶようチェック欄にチェックマークを記入させる。従来の払込票では、図１５に示すような郵便局の払込専用の払込票とは別に、他の銀行では別途、払込用紙を用意する必要があったが、本払込票２によれば、これらを共通した１枚の払込用紙に纏め、どの金融機関でも利用可能とすることができる。
【０１１４】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０１１５】
例えば、上述した実施の形態では、金融機関システム６００の入金明細データ生成部６０２ａが文字認識技術等を用いて払込済の払込票から識別情報を取得する例について説明したが、これに限られず、サーバ装置２００の制御部２０２が、受信した入金明細データとしての画像データに基づいて、文字認識技術等を用いて識別情報を取得してもよい。同様に、上述した実施の形態では、サーバ装置２００の入金確定予定データ取得部２０２ｂが、受信した画像データから、文字認識技術等を用いて払込金受領証に記載された識別情報を取得する例について説明したが、これに限られず、端末装置１００の制御部１０２が、画像読取部１１２にて取得した画像データから文字認識技術等を用いて識別情報を取得し、サーバ装置２００に識別情報に対応付けて画像データを送信してもよい。
【０１１６】
また、端末装置１００やサーバ装置２００がスタンドアローンの形態で処理を行う場合を一例に説明したが、端末装置１００やサーバ装置２００は、任意のクライアント端末（端末装置１００やサーバ装置２００とは別筐体である）からの要求に応じて処理を行い、その処理結果を当該クライアント端末に返却するようにしてもよい。
【０１１７】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１１８】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１１９】
また、端末装置１００やサーバ装置２００や金融機関システム６００に関して、図示の各構成要素は機能概念的なものであり、必ずしも物理的に図示の如く構成されていることを要しない。
【０１２０】
例えば、端末装置１００やサーバ装置２００や金融機関システム６００の各装置が備える処理機能、特に制御部１０２，２０２，６０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する、コンピュータに本発明に係る方法を実行させるためのプログラム化された命令を含む、一時的でないコンピュータ読み取り可能な記録媒体に記録されており、必要に応じて端末装置１００やサーバ装置２００等に機械的に読み取られる。すなわち、ＲＯＭまたはＨＤＤ（Ｈａｒｄ  Ｄｉｓｋ  Ｄｒｉｖｅ）などの記憶部１０６，２０６，６０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１２１】
また、このコンピュータプログラムは、端末装置１００やサーバ装置２００や金融機関システム６００に対して任意のネットワーク３００を介して接続されたアプリケーションプログラムサーバに記憶されていてもよく、必要に応じてその全部または一部をダウンロードすることも可能である。
【０１２２】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１２３】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１２４】
記憶部１０６，２０６，６０６に格納される各種のデータベース等（管理データベース２０６ａ、画像ファイル２０６ｂ、入金明細データベース６０６ａ等）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１２５】
また、端末装置１００やサーバ装置２００や金融機関システム６００は、既知のパーソナルコンピュータ、ワークステーション等の情報処理装置として構成してもよく、また、該情報処理装置に任意の周辺装置を接続して構成してもよい。また、端末装置１００やサーバ装置２００や金融機関システム６００は、該情報処理装置に本発明の方法を実現させるソフトウェア（プログラム、データ等を含む）を実装することにより実現してもよい。
【０１２６】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１２７】
以上詳述に説明したように、本発明によれば、払込票に基づく料金が収納されてからマッチング作業までの時間を短縮するとともに、マッチング作業にかかる業務負担を軽減させることができるので、収納管理システム、収納管理装置、収納管理方法、および、プログラムを提供することができ、様々な分野において極めて有用である。
【符号の説明】
【０１２８】
１００  端末装置
１０２  制御部
１０２ａ  受領証画像取得部
１０２ｂ  受領証画像送信部
１０２ｃ  情報登録部
１０２ｄ  ステータス照会部
１０４  通信制御インターフェース部
１０６  記憶部
１０８  入出力制御インターフェース部
１１２  画像読取部
１１４  出力部
１１６  入力部
２００  サーバ装置
２０２  制御部
２０２ａ  受領証画像受信部
２０２ｂ  入金確定予定データ取得部
２０２ｃ  入金明細データ受信部
２０２ｄ  マッチング処理部
２０２ｆ  登録情報受付部
２０２ｇ  照会受付部
２０４  通信制御インターフェース部
２０６  記憶部
２０６ａ  管理データベース
２０６ｂ  画像ファイル
３００  ネットワーク
６００  金融機関システム
６０２  制御部
６０２ａ  入金明細データ生成部
６０２ｂ  入金明細データ送信部
６０４  通信制御インターフェース部
６０６  記憶部
６０６ａ  入金明細データベース
６０８  入出力制御インターフェース部
６１４  出力部
６１６  入力部
７００  外部機器
【図１】
2014056559.tif 000003
【図２】
2014056559.tif 000004
【図３】
2014056559.tif 000005
【図４】
2014056559.tif 000006
【図５】
2014056559.tif 000007
【図６】
2014056559.tif 000008
【図７】
2014056559.tif 000009
【図８】
2014056559.tif 000010
【図９】
2014056559.tif 000011
【図１０】
2014056559.tif 000012
【図１１】
2014056559.tif 000013
【図１２】
2014056559.tif 000014
【図１３】
2014056559.tif 000015
【図１４】
2014056559.tif 000016
【図１５】
2014056559.tif 000017